(57)【要約】【課題】  傷病者の苦痛や負担が少なく、スムーズに頸椎カラーを装着し、頸部を固定できる頸椎カラー装着補助具を得る。【解決手段】  可撓性を有する心棒１と、この心棒１の外部を覆う発泡性を有する被覆部材２と上記心棒１と、上記被覆部材２の一端に装備された保護具３と、上記心棒１と上記被覆部材２の他端に固着されたガイドシート４と、このガイドシート４の一端部近傍に固着された面ファスナー５を備える。【選択図】図１
0003137339.tif 000002
【実用新案登録請求の範囲】
【請求項１】
可撓性を有する心棒と、この心棒の外部を覆う被覆部材と、上記心棒と上記被覆部材の一端に固着されたガイドシートと、このガイドシートの一端部近傍に固着された面ファスナーとを備えたことを特徴とする頸椎カラー装着補助具。
【請求項２】
可撓性を有する心棒と、この心棒の外部を覆う被覆部材と、上記心棒と上記被覆部材の一端に装備された保護具と、上記心棒と上記被覆部材の他端に固着されたガイドシートと、このガイドシートの一端部近傍に固着された面ファスナーとを備えたことを特徴とする頸椎カラー装着補助具。
【請求項３】
上記被覆部材は、発泡性を有する軟質の樹脂またはゴム材料で形成されたことを特徴とする請求項１または２記載の頸椎カラー装着補助具。
【考案の詳細な説明】
【技術分野】
【０００１】  この考案は、救急現場で傷病者に対し頸椎カラーの装着が容易に行えるようにする、頸椎カラー装着補助具に関するものである。
【背景技術】
【０００２】  従来の頸椎カラーの一般的なものとしては、傷病者の頸部を固定するカラーと、このカラーの両端に取り付けられた面ファスナーを備えたものがある。この頸椎カラーを傷病者に装着する場合には、仰臥位や自動車のシートに座っている状態など、後頸部にスペースがない場合においては、頸椎カラーのプラスチック部分を後頸部に無理やり押し込んでカラー及び面ファスナーを通過させて頸椎カラーを装着している。
【考案の開示】
【考案が解決しようとする課題】
【０００３】  上記のような従来の頸椎カラーの装着方法では、頸椎カラーを装着する場合に、頸椎カラーのプラスチック部分を後頸部に無理やり押し込むため、傷病者の苦痛や負担が非常に大きいという問題点があった。また、頸椎カラーの装着時間を要するため、傷病者の意識、呼吸及び脈拍の観察や救急処置が遅れ、現場滞在時間が長くなるという問題点があった。【０００４】  この考案は、上述のような問題点を解決するためになされたもので、傷病者の苦痛や負担が少なく、スムーズに頸椎カラーを装着し、頸部を固定できる頸椎カラー装着補助具を得ることを目的とする。
【課題を解決するための手段】
【０００５】  この考案の頸椎カラー装着補助具は、可撓性を有する心棒と、この心棒の外部を覆う被覆部材と、上記心棒と上記被覆部材の一端に固着されたガイドシートと、このガイドシートの一端部近傍に固着された面ファスナーとを備えたものである。【０００６】  また、可撓性を有する心棒と、この心棒の外部を覆う被覆部材と、上記心棒と上記被覆部材の一端に装備された保護具と、上記心棒と上記被覆部材の他端に固着されたガイドシートと、このガイドシートの一端部近傍に固着された面ファスナーとを備えたものである。【０００７】  また、上記被覆部材は、発泡性を有する軟質の樹脂またはゴム材料で形成したものである。
【考案の効果】
【０００８】  この考案の頸椎カラー装着補助具は、頸椎カラーの装着が容易になることは勿論、傷病者の苦痛や負担が少なくなる。【０００９】  また、頸椎カラーの装着時間が短縮され、傷病者の意識、呼吸及び脈拍の観察や救急処置への対応が迅速かつ適切に行うことができるようになる。
【考案を実施するための最良の形態】
【００１０】実施の形態１．
図１は、この考案の一実施の形態を示す頸椎カラー装着補助具の正面図である。図において、１０は頸椎カラー装着補助具である。１は可撓性を有し屈曲自在な心棒であり、例えば金属製の針金等である。２は心棒１の外部を覆う被覆部材であり、例えば発泡性を有する軟質の樹脂チューブ又はゴムチューブで形成されている。なお、被覆部材２は発泡性を有する軟質の樹脂、またはゴムで形成しても良い。また、被覆部材２は例えば長さＬ１が約２５０ｍｍ、外径が約１０ｍｍで形成されている。また、被覆部材２は上述の材料に夜光性塗料を混入させ、夜間での視認性が良いように光る様に構成してもよい。【００１１】  ３は保護具であり、先端が丸く、合成樹脂材料で形成され、心棒１と被覆部材２の一端に装着されている。なお、心棒１と被覆部材２と保護具３とでガイド棒７が構成されている。なおまた、被覆部材２と保護具３は一体に形成しても良い。４は布製のガイドシートであり、幅Ｌ２が約５０ｍｍ、長さＬ３が約８０ｍｍに形成され、被覆部材２の他端に巻き付けて固着されている。５は雄型の面ファスナーである第１のファスナーであり、ガイドシート４の一端部からの距離Ｌ４が約１５ｍｍの位置に固着されている。【００１２】  図２は、この考案の頸椎カラー装着補助具を頸椎カラーに結合した図であり、（Ａ）は平面図、（Ｂ）は一部を切り欠いた側面図である。図において、２０は周知の頸椎カラーであり、頸椎カラー本体２１と、この頸椎カラー本体２１の一端に装着された雌型の面ファスナーである第２のファスナー２２と、頸椎カラー本体２１の他端の表面に装着された雄型の面ファスナーである第３のファスナー２３とで構成されている。すなわち、頸椎カラー装着補助具１０は、第１のファスナー５により頸椎カラー２０の第２のファスナー２２に結合されている。【００１３】  上述の様に構成された頸椎カラー装着補助具の使用方法を、図３および図４に基づき説明する。
図３は、頸椎カラー装着補助具が結合された頸椎カラーを傷病者に装着する状態を示す説明図である。図において、仰臥位で倒れている傷病者３０に頸椎カラー２０を装着しようとする場合、ジャンバー等の衣類を着込んでいる時は、ほとんど後頸部にスペースが無い。そこで、頸椎カラー装着補助具１０を頸椎カラー２０に結合し、後頸部のわずかなスペースにガイド棒７を挿入し、頸椎カラー２０の第２のファスナー２２を傷病者３０の左側頸部へ来る位置まで誘導する。次に、第２のファスナー２２を第３のファスナー２３に結合することにより、頸椎カラー２０を傷病者３０の頸部に無理なく装着することができる。【００１４】  図４は、頸椎カラー装着補助具が結合された頸椎カラーを傷病者に装着した斜視図である。図に示すように、頸椎カラー装着補助具１０を取り外すことなく、頸椎カラー２０を傷病者３０に装着でき、装着後は頸椎カラー装着補助具１０のガイドシート４の一端のベロ４ａ（図１に示す）を引っ張ることにより、頸椎カラー装着補助具１０を頸椎カラー２０から簡単に取り外しできる。【００１５】  この考案の頸椎カラー装着補助具１０は、可撓性を有する心棒１と、この心棒１の外部を覆う発泡性を有する被覆部材２と、上記心棒１と上記被覆部材２の一端に固着されたガイドシート４と、このガイドシート４の一端部近傍に固着された面ファスナー５を備え、この面ファスナー５を頸椎カラー２０に結合するように構成され、頸椎カラー装着補助具１０のガイド棒７を、傷病者３０の後頸部のわずかなスペースに挿入し、頸椎カラー２０の第２のファスナー２２を傷病者の左側頸部へ来る位置まで誘導し、第２のファスナー２２に第３のファスナー２３に結合することにより、頸椎カラー２０を傷病者３０の頸部に無理なく装着することができる。【００１６】  また、頸椎カラー装着補助具１０のガイド棒７は、心棒１と、発泡性を有する軟質の樹脂チューブ又は軟質のゴムチューブ等で形成された被覆部材２と、先端が丸い保護具３とで構成されているので、傷病者３０の後頸部のわずかなスペースにガイド棒７を挿入する場合に、傷病者３０に対して苦痛や負担を与えることなく優しく挿入できる。【００１７】  また、頸椎カラー装着補助具１０のガイド棒７を、後頸部のわずかなスペースに迅速に挿入できるので、頸椎カラー２０の装着時間が短縮され、傷病者３０の意識、呼吸及び脈拍の観察や救急処置への対応が迅速かつ適切に行うことが出来るようになる。
【図面の簡単な説明】
【００１８】
【図１】  この考案の実施の形態１を示す頚椎カラー装着補助具の正面図である。
【図２】  この考案の頸椎カラー装着補助具を頸椎カラーに結合した図で、（Ａ）は平面図、（Ｂ）は一部を切り欠いた側面図である。
【図３】  この考案の頸椎カラー装着補助具が結合された頸椎カラーを傷病者に装着する状態を示す説明図である。
【図４】  この考案の頸椎カラー装着補助具が結合された頸椎カラーを傷病者に装着した斜視図である。
【符号の説明】
【００１９】  １  心棒、２  被覆部材、３  保護具、４  ガイドシート、５  第１のファスナー（面ファスナー）、７  ガイド棒、１０  頸椎カラー装着補助具
【図１】
0003137339.tif 000003
【図２】
0003137339.tif 000004
【図３】
0003137339.tif 000005
【図４】
0003137339.tif 000006